(57)【要約】【課題】  無駄な通話料金の発生を防止することができる「情報処理装置」、「ナビゲーション装置」、「情報処理方法」および「プログラム」を提供することを目的とする。【解決手段】  ナビゲーション装置２００は、記事配信サーバ１４からのサービス停止情報を回線接続時に受信する送受信部２０３と、コンテンツを提供する記事配信サーバ１４から取得したサービス停止情報を記憶する記憶部２０１と、サービス停止情報を参照して、記事配信サーバ１４への回線接続の可否を判断する制御部２１７と、記事配信サーバ１４がコンテンツを配信するサービスを停止している場合に記事配信サーバ１４がサービス停止中であることを報知する表示部２０７とを備える。回線接続しても必要とする情報やサービスがサーバの運用停止で得られないことがあらかじめ分かっている場合、回線接続を抑止することで、無駄な通信料金の発生を防ぐことができる。【選択図】        図４
2006209530.tif 000002
【特許請求の範囲】
【請求項１】
コンテンツを提供するサーバから取得したサービス停止情報を記憶する記憶部と、
回線接続時、前記サービス停止情報を参照して前記サーバがコンテンツを提供するサービスを停止している場合に前記サーバへの回線接続を行わないよう制御を行う制御部とを備えることを特徴とする情報処理装置。
【請求項２】
前記サービス停止情報を回線接続時に前記サーバから受信する受信部をさらに備えることを特徴とする請求項１に記載の情報処理装置。
【請求項３】
前記サーバがコンテンツを提供するサービスを停止している場合に前記サーバがサービス停止中であることを報知する報知部をさらに備えることを特徴とする請求項１に記載の情報処理装置。
【請求項４】
前記サーバがコンテンツを提供するサービスを停止している場合に前記サーバがサービス停止中であることを表示又は音声によって報知する報知部をさらに備えることを特徴とする請求項１に記載の情報処理装置。
【請求項５】
前記サービス停止情報は、サービス停止中であることを報知するためのメッセージを含むことを特徴とする請求項１に記載の情報処理装置。
【請求項６】
経路探索を行う手段と、請求項１から請求項５のいずれか一項に記載の情報処理装置とを備えたナビゲーション装置。
【請求項７】
コンテンツを提供するサーバからサービス停止情報を受信するステップと、
前記サーバへの接続時に、前記サービス停止情報を参照して前記サーバへの回線接続の可否を判断するステップとを有することを特徴とする情報処理方法。
【請求項８】
前記サーバがコンテンツを提供するサービスを停止している場合に前記サーバがサービス停止中であることを報知するステップをさらに有することを特徴とする請求項７に記載の情報処理方法。
【請求項９】
コンテンツを提供するサーバからサービス停止情報を取得するステップ、
前記サーバへの接続時に、前記サービス停止情報を参照して前記サーバへの回線接続の可否を判断するステップをコンピュータに実行させるためのプログラム。
【発明の詳細な説明】
【技術分野】
【０００１】
本発明は、情報処理装置、ナビゲーション装置、情報処理方法およびプログラムに関する。
【背景技術】
【０００２】
従来、車載機から携帯電話などを使って、各種サービスやデータコンテンツを提供するサーバにアクセスすることで、それらを利用する技術が提案されている。
このようにして、車載機単独で実現できないサービスや、コンテンツデータを利用する場合、携帯電話を使ってそれらを持っているサーバに接続し、車載機で利用する形態がとられている（従来技術１）。
【０００３】
また、他の従来技術として以下の特許文献が提案されている。特許文献１に記載の技術は、現在選局中のチャンネルにおいて放送が休止中となっているか否か判定し、現在選局中のチャンネルにおいて放送が休止中となっており、所定時間の間、操作部から入力がなかったときには、省電力化処理を行うというものである。
【０００４】
【特許文献１】特開２００２−３００４９０号公報
【発明の開示】
【発明が解決しようとする課題】
【０００５】
しかしながら、従来技術１では、必要なコンテンツデータやサービスが利用できない場合があり、それがわかるのは携帯電話を使ってサーバに接続した後である。例えば、新聞のニュースを提供するサーバでは、新聞の休刊日などでニュースが提供されない。この場合、携帯電話を使ってサーバに接続するまでは、コンテンツデータであるニュースが存在するかどうかわからないため、携帯電話でサーバに接続するため通信料金が課金されてしまうという問題がある。
【０００６】
そこで、本発明はこれらの問題を解決するためになされたもので、無駄な通話料金の発生を防止できる情報処理装置、ナビゲーション装置、情報処理方法およびプログラムを提供することを目的とする。
【課題を解決するための手段】
【０００７】
上記課題を解決するために、本発明は、コンテンツを提供するサーバから取得したサービス停止情報を記憶する記憶部と、回線接続時、前記サービス停止情報を参照して前記サーバがコンテンツを提供するサービスを停止している場合に前記サーバへの回線接続を行わないよう制御を行う制御部とを備える情報処理装置である。本発明によれば、サーバメンテナンス期間や配信コンテンツが休刊日などのように、回線接続しても必要とする情報やサービスがサーバの運用停止で得られないことがあらかじめ分かっている場合、回線接続を抑止することで、無駄な通信料金の発生を防ぐことができる。サービス停止情報とは、サーバからのデータ配信が無い期間をいい、例えば新聞の休刊日やＶＩＣＳなどのサービス停止期間、サーバのメンテナンス期間などの情報を含む。
【０００８】
本発明は、前記サービス停止情報を回線接続時に前記サーバから受信する受信部をさらに備える情報処理装置である。本発明は、前記サーバがコンテンツを提供するサービスを停止している場合に前記サーバがサービス停止中であることを報知する報知部をさらに備える情報処理装置である。これにより、ユーザはサーバが停止中であることを知ることができる。
【０００９】
本発明は、前記サーバがコンテンツを提供するサービスを停止している場合に前記サーバがサービス停止中であることを表示又は音声によって報知する報知部をさらに備える情報処理装置である。これにより、ユーザは表示や音声によってサーバが停止中であることを知ることができる。前記サービス停止情報は、サービス停止中であることを報知するためのメッセージを含むのが好ましい。本発明は、経路探索を行う手段と、上記情報処理装置とを備えたナビゲーション装置である。これにより無駄な通信料金の発生を防ぐことができるナビゲーション装置を提供することができる。
【００１０】
本発明は、コンテンツを提供するサーバからサービス停止情報を受信するステップと、前記サーバへの接続時に、前記サービス停止情報を参照して前記サーバへの回線接続の可否を判断するステップとを有する情報処理方法である。本発明によれば、サーバメンテナンス期間や配信コンテンツが休刊日などによりない場合などのように、回線接続しても必要とする情報やサービスがサーバの運用停止で得られないことがあらかじめ分かっている場合、回線接続を抑止することができるので、無駄な通信料金の発生を防ぐことができる。本発明は、前記サーバがコンテンツを提供するサービスを停止している場合に前記サーバがサービス停止中であることを報知するステップをさらに有する情報処理方法である。これにより、ユーザはサーバが停止中であることを知ることができる。
【００１１】
本発明は、コンテンツを提供するサーバからサービス停止情報を取得するステップ、前記サーバへの接続時に、前記サービス停止情報を参照して前記サーバへの回線接続の可否を判断するステップをコンピュータに実行させるためのプログラムである。本発明によれば、サーバメンテナンス期間や配信コンテンツが休刊日などによりない場合などのように、回線接続しても必要とする情報やサービスがサーバの運用停止で得られないことがあらかじめ分かっている場合、回線接続を抑止することができるので、無駄な通信料金の発生を防ぐことができる。
【発明の効果】
【００１２】
本発明によれば、無駄な通話料金の発生を防止できる情報処理装置、ナビゲーション装置、情報処理方法およびプログラムを提供できる。
【発明を実施するための最良の形態】
【００１３】
以下、本発明を実施するための最良の形態について説明する。図１は本発明の実施形態に係るナビゲーションシステム２０の構成を示す図である。図１に示すように、ナビゲーションシステム２０は、自車１１、携帯電話機１２、無線基地局１３、記事配信サーバ１４、インターネット１５および記事サイト１６１〜１６３を備える。自車１１と記事配信サーバ１４は、無線を含むネットワークを介して通信可能である。自車１１のナビゲーション装置と無線基地局１３は携帯電話機１２を介して接続される。無線基地局１３と記事配信サーバ１４とはキャリア−インターネット・サービス・プロバイダ間の通常のネットワークで接続される。記事配信サーバ１４は、記事サイト１６１〜１６３が提供する記事を自車１１内に提供するものである。
【００１４】
図２は、携帯電話機１２の構成を示す図である。図２に示すように、携帯電話機１２は、自車１１内のナビゲーション装置と記事配信サーバ１４を接続するものであり、送受信部１０３、受信レベル検出部１０４、記憶部１０６、制御部１０７、表示部１０８、スピーカ１０９、報知部１１０、操作部１１１およびマイク１１２を備える。送受信部１０３は、アンテナ１０１と接続されており、無線基地局１３と無線ネットワークを形成し、データを送受信する。受信レベル検出部１０４は送受信部１０３で受信した電波の強度レベルを検出し、通信に最適な出力強度を算出する。記憶部１０６は制御部１０７が動作するためのプログラムおよび各種処理結果を記憶する。
【００１５】
表示部１０８は例えば液晶ディスプレイなどで構成される。スピーカ１０９は電話中の相手の音声などを出力する。報知部１１０は電話や電子メールなどの着信の他にアラームやバッテリー切れなどをユーザに報知する。操作部１１１はテンキーや方向キーなどで構成されたユーザインタフェースである。マイク１１２は通話中のユーザの音声を入力したりする。制御部１０７は上記した各部を制御すると共に、必要に応じて各種処理を実行する。
【００１６】
図３は、記事配信サーバ１４の構成を示す図である。図３に示すように、記事配信サーバ１４は、送受信部１２１、１２２および制御部１２３を備える。制御部１２３は、例えばマイクロコンピュータやＣＰＵ（中央演算処理装置）等の演算処理装置で構成される。この制御部１２３は、記事サイト１６１〜１６３からの記事情報の送受信を制御する。
【００１７】
送受信部１２２はインターネット１５を介して記事サイト１６１、１６２、１６３、…とデータの送受信を行う。
【００１８】
自車２１には、図４に示すようなナビゲーション装置２００が搭載される。ナビゲーション装置２００は、回線接続時、サービス停止情報を参照してサーバがコンテンツを提供するサービスを停止している場合に記事配信サーバ１４への回線接続を行わないよう制御を行う機能を有する。図４に示すように、ナビゲーション装置２００は、記憶部２０１、操作部２０２、送受信部２０３、ＶＩＣＳ（道路交通情報通信システム）受信部２０４、ＧＰＳ（Global Positioning System）受信部２０５、自立航法センサ２０６、表示部２０７、スピーカ２０８および処理部２１０を備える。
【００１９】
処理部２１０は、バッファメモリ２１１、インタフェース（Ｉ／Ｆ）２１２〜２１６、制御部２１７、地図描画部２１８、表示情報生成部２１９、誘導経路記憶部２２０、誘導経路描画部２２１、アイコン描画部２２２、音声出力部２２３および画像合成部２２４を備える。記憶部２０１は、地図データやその他の案内データを格納したＣＤ（コンパクトディスク）−ＲＯＭ（Read Only Memory）やＤＶＤ（Digital Versatile Disc）−ＲＯＭ等の記録媒体を読み込むため構成である。さらに、記憶部２０１は、たとえばハードディスクドライブなどの記憶装置を含む。この記憶部２０１には、コンテンツを提供するサーバ（記事サイト１６１〜１６３）のサービス停止情報を記憶する。
【００２０】
操作部２０２は、ドライバが車載用ナビゲーション装置２００に各種操作・設定を入力するための構成である。これは、リモートコントローラ装置やコントロールパネル等のように個別に構成されていても、表示部２０７と一体に形成されたタッチパネル式の入力装置として構成されていても良い。更には、音声入力用のマイクロフォン等で構成されてもよい。送受信部２０３は、携帯電話機１２を介して記事配信サーバ１４や各種サービスセンタ等と通信を行う。また、送受信部２０３は、コンテンツを提供する記事配信サーバ１４からサービス停止情報を回線接続時に受信する。
【００２１】
ＶＩＣＳ受信部２０４は、電波ビーコン又は光ビーコンから送信されてくるＶＩＣＳ情報を受信するための構成である。ＧＰＳ受信部２０５は、ＧＰＳ衛星から送信されてくるＧＰＳ信号を受信して車両の現在位置の緯度及び経度を検出するための構成である。自立航法センサ２０６は、車両方位を検出するためのジャイロ等を含む角度センサ２０６ａと、一定の走行距離毎にパルスを発生する距離センサ２０６ｂとを有して構成されており、車両の進行方向や速度を検出する。表示部２０７は、例えば液晶表示方式のディスプレイ装置等で構成され、車載用ナビゲーション装置２００から入力された、地図や誘導経路や車両の現在位置やその他ランドマーク等の各種情報を画面上に表示するための構成である。
【００２２】
スピーカ２０８は、同じく車載用ナビゲーション装置２００から入力された音声案内情報等を出力するための構成である。表示部２０７又はスピーカ２０８は、記事配信サーバ１４がコンテンツを配信するサービスを停止している場合に記事配信サーバ１４がサービス停止中であることを表示又は音声によって報知する報知部として機能する。バッファメモリ２１１は、制御部２１７からの制御の下に記憶部２０１から入力された地図データ等を一時的に格納するための構成である。インタフェース（Ｉ／Ｆ）２１２〜２１６は、それぞれ操作部２０２、送受信部２０３、ＶＩＣＳ受信部２０４、ＧＰＳ受信部２０５及び自立航法センサ２０６と車載用ナビゲーション装置２００における内部バスとを接続するための構成である。
【００２３】
制御部２１７は、例えばマイクロコンピュータやＣＰＵ（中央演算処理装置）等の演算処理装置で構成される。この制御部２１７は、ナビゲーション用のプログラム（後述する経路探索の処理やそれに基づく経路案内に必要な表示出力制御等を行うためのプログラム）を内蔵しており、このプログラムに従い、ＧＰＳ受信部２０５及び自立航法センサ２０６から出力される信号に基づいて車両の現在位置を検出したり、表示させたい地図のデータ等を記憶部２０１からバッファメモリ２１１に読み出したり、バッファメモリ２１１に読み出した地図データから誘導経路を探索する等のナビゲーションに係る種々の処理を実行する。但し、例えば上記のプログラムはＣＤ−ＲＯＭやＤＶＤ−ＲＯＭ等に記憶しておくことも可能である。この場合、制御部２１７は必要に応じてこれを読出し、実行する。
【００２４】
また、制御部２１７は、記憶部２０１に格納したサービス停止情報をバッファメモリ２１１に読み出し、回線接続時、サービス停止情報を参照して記事配信サーバ１４がコンテンツを提供するサービスを停止している場合に、記事配信サーバ１４への回線接続を行わないよう制御を行う。表示部２０７又はスピーカ２０８は、記事配信サーバ１４がコンテンツを提供するサービスを停止している場合に記事配信サーバ１４がサービス停止中であることを表示又は音声によって報知する。このように、制御部２１７は、サービス停止情報をあらかじめ記事配信サーバ１４から取得しておき、サービス停止情報を車載機で保持し、回線接続が必要になるときに参照し、サービス停止期間である場合は回線接続せず、その旨を示す文言などを画面表示や音声にてユーザに知らせるので、車載機でその情報をもとに、該当期間の回線接続を抑止することができる。
【００２５】
地図描画部２１８は、バッファメモリ２１１に読み出された地図データを用いて地図画像の描画処理を行うための構成である。表示情報生成部２１９は、動作状況に応じて各種メニュー画面（操作画面）及び車両位置マーク、カーソル等の各種マークを生成するための構成である。誘導経路記憶部２２０は、出発地及び目的地やその他の探索条件に基づいて制御部２１７において探索された誘導経路の全てのノードに関するデータ及び探索中に変更された誘導経路のデータ（以下、これらを誘導経路データという）を格納しておくための構成である。
【００２６】
誘導経路描画部２２１は、誘導経路記憶部２２０から誘導経路データを読み出して誘導経路を他の道路とは異なる表示態様（色や線幅を用いた強調表示等）で描画するための構成である。アイコン描画部２２２は、地図データに含まれる各ランドマークのデータ（物件データともいう）に対応する個々のランドマークをそれぞれ指示するためのアイコンの描画処理を行うための構成である。
【００２７】
音声出力部２２３は、例えばＤＳＰ（Digital Signal Processor）等を含んで構成され、制御部２１７からの信号に基づいて音声信号をスピーカ２０８に出力する。画像合成部２２４は、地図描画部２１８で描画された地図画像に、誘導経路描画部２２１で描画された誘導経路や、表示情報生成部２１９で描画された操作画面及び各種マークや、アイコン描画部２２２で描画された各ランドマークを指示するアイコン等を適宜重ねて、表示部７に表示させるための構成である。
【００２８】
次に、サービス停止情報について説明する。図５はサービス停止情報を示す図である。図５に示すように、サービス停止情報には、停止開始日時、停止期間、対象ＵＲＬ（Uniform Resource Locator）およびサービス停止中であることを報知するためのメッセージ（抑止時メッセージ）を含む。
【００２９】
次に、ナビゲーションシステムの動作について説明する。図６はニュースリストの表示例を示す図である。図７はサーバへの回線接続時の表示例を示す図である。図８はサーバがコンテンツ配信を停止しているときの表示例を示す図である。図９はコンテンツ配信の停止を記事本文で通知する際の表示例を示す図である。図１０はナビゲーションシステムにおける動作を示すシーケンスである。
【００３０】
まず、表示部２０７には、図６に示すようなニュースリストが表示される。ユーザが、今日の総合ニュース、今日の政治ニュース、今日の経済ニュース、今日の国際ニュース、今日の社会ニュースおよび今日のスポーツニュースを含むニュースリストから見たいニュースを選択すると、ナビゲーション装置２００の制御部２１７は、記憶部２０１に記憶された記事配信サーバ１４のサービス停止情報を参照して、記事配信サーバ１４への回線接続の可否を判断する（ａ１）。制御部２１７は、記事配信サーバ１４が記事を配信するサービスを行っていると判断した場合には、記事配信サーバ１４への回線接続の処理を行って、記事配信要求を行う（ａ２）。ナビゲーション装置２００および記事配信サーバ１４間の回線が接続すると、図７に示すような画面が表示部２０７に表示される。
【００３１】
制御部２１７は、記事配信サーバ１４がサービス停止中で記事を配信するサービスを行っていないと判断した場合には、記事配信サーバ１４への回線接続を行わずに図８に示すような、記事配信サーバ１４がサービス停止中であることを表示によって報知する。記事配信サーバ１４がサービス停止中であることを、図９のようなメッセージでユーザに通知してもよい。無線基地局１３は、ナビゲーション装置２００からの記事配信要求を転送する（ｂ１）。記事配信サーバ１４は、記事配信要求に従って、記事サイト１６１〜１６３から指定された記事情報および各サイトのサービス停止情報を収集する（ｃ２、ｄ１）。
【００３２】
記事配信サーバ１４は、収集した記事情報及びサービス停止情報を配信する（ｃ３）。無線基地局１３は、記事情報・サービス停止情報を転送する（ｂ２）。ナビゲーション装置２００は、携帯電話機１２を介して、無線基地局１３からの記事情報・サービス停止情報を受信する（ａ３）。ナビゲーション装置２００の制御部２１７は、記事情報を表示部２０７に表示する処理を行う（ａ４）。制御部２１７は、サービス停止情報を読取り記憶部２０１に保存する。このように、サービス停止情報は、回線接続時に必ず取得する。
【００３３】
以上本実施形態によれば、ユーザが要求するサービス利用やコンテンツ取得などの要求で、サーバにアクセスが必要になる時、サービス停止情報を参照し、該当するサーバがサービス停止期間である場合は、回線接続を行わないようにして、その旨を示す文言などを画面表示や音声にてユーザに知らせ、回線接続を抑止することで、無駄な通信料金の発生を防ぐことができる。なお、ユーザに知らせるタイミングは、ニュースリストから選択時であるのが良い。
【００３４】
なお、ナビゲーション装置２００又は携帯電話機１２が情報処理装置に対応する。すなわち、上記実施形態では、図４に示すナビゲーション装置２００が、コンテンツを提供するサーバから取得したサービス停止情報を記憶する記憶部と、回線接続時、前記サービス停止情報を参照して前記サーバがコンテンツを提供するサービスを停止している場合に前記サーバへの回線接続を行わないよう制御を行う制御部とを備えていたが、図２に示した携帯電話機１２がコンテンツを提供するサーバから取得したサービス停止情報を記憶する記憶部１０６と、回線接続時、前記サービス停止情報を参照して前記サーバがコンテンツを配信するサービスを停止している場合に前記サーバへの回線接続を行わないよう制御を行う制御部１０７とを備えていてもよい。
【００３５】
本発明の情報処理方法は、例えば、ＣＰＵ（Central Processing Unit）、ＲＯＭ(Read Only Memory)、ＲＡＭ(Random Access Memory)等を用いて実現される。プログラムをハードディスク装置や、ＣＤ−ＲＯＭ、ＤＶＤまたはフレキシブルディスクなどの可搬型記憶媒体等からインストールし、または通信回路からダウンロードし、ＣＰＵがこのプログラムを実行することで、本発明の各機能が実現される。このプログラムは、コンテンツを提供するサーバからサービス停止情報を取得するステップ、前記サーバへの接続時に、前記サービス停止情報を参照して前記サーバへの回線接続の可否を判断するステップをコンピュータに実行させる。また、サーバが提供するコンテンツには、音楽、動画、金融機関のサービス等いずれの情報も含まれる。
【００３６】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００３７】
【図１】本発明の実施形態に係るシステム１０の構成を示す図である。
【図２】携帯電話機１２の構成を示す図である。
【図３】記事配信サーバ１４の構成を示す図である。
【図４】ナビゲーション装置２００の構成を示す図である。
【図５】サービス停止情報を示す図である。
【図６】ニュースリストの表示例を示す図である。
【図７】サーバへの回線接続時の表示例を示す図である。
【図８】サーバがコンテンツ配信を停止しているときの表示例を示す図である。
【図９】コンテンツ配信の停止を記事本文で通知する際の表示例を示す図である。
【図１０】ナビゲーションシステムにおける動作を示すシーケンスである。
【符号の説明】
【００３８】
１１  自車
１２  携帯電話機
１３  無線基地局
１４  記事配信サーバ
１６１〜１６３  記事サイト
２０  ナビゲーションシステム
２００  ナビゲーション装置
２０１  記憶部
２１７  制御部
【図１】
2006209530.tif 000003
【図２】
2006209530.tif 000004
【図３】
2006209530.tif 000005
【図４】
2006209530.tif 000006
【図５】
2006209530.tif 000007
【図６】
2006209530.tif 000008
【図７】
2006209530.tif 000009
【図８】
2006209530.tif 000010
【図９】
2006209530.tif 000011
【図１０】
2006209530.tif 000012